(57)【要約】本発明の電動歯ブラシは、駆動手段が設置されたケースと、弾力性を有して前記駆動手段により相異なる方向に回転する第１及び第２歯ブラシ支持台と、前記第１及び第２歯ブラシ支持台の各上端にそれぞれ連結された第１及び第２歯ブラシヘッドと、回転時に互いに接触しないように前記第１及び第２歯ブラシヘッドにその長手方向に沿って上下交互にそれぞれ植毛された第１及び第２歯ブラシ毛と、を具備する。
2004534603.tif 000002
【特許請求の範囲】
【請求項１】
駆動手段が設置されたケースと、
弾力性を有して前記駆動手段により相異なる方向に回転する第１及び第２歯ブラシ支持台と、
前記第１及び第２歯ブラシ支持台の各上端にそれぞれ連結された第１及び第２歯ブラシヘッドと、
回転時に互いに接触しないように前記第１及び第２歯ブラシヘッドにその長手方向に沿って上下交互にそれぞれ植毛された第１及び第２歯ブラシ毛と、を具備することを特徴とする電動歯ブラシ。
【請求項２】
前記第１及び第２歯ブラシ毛は少なくとも１列の螺旋状にそれぞれ植毛されたことを特徴とする請求項１に記載の電動歯ブラシ。
【請求項３】
前記第１及び第２歯ブラシヘッドに前記第１及び第２歯ブラシ毛がそれぞれ植毛されて形成された第１及び第２歯ブラシ結合体は上下対称であり、前記第１及び第２歯ブラシ支持台にそれぞれ着脱自在に結合されたことを特徴とする電動歯ブラシ。
【請求項４】
前記ケースの外部に光を放出する発光手段をさらに具備することを特徴とする請求項１に記載の電動歯ブラシ。
【請求項５】
前記駆動手段は動力源と、前記動力源から動力を伝達されて互いに噛み合って回転する第１及び第２回転ギアと、一端が前記第１及び第２回転ギアにそれぞれ固定され、他端が前記第１及び第２歯ブラシ支持台にそれぞれ連結された第１及び第２回転支持軸と、を具備することを特徴とする請求項１または４に記載の電動歯ブラシ。
【請求項６】
前記第１及び第２歯ブラシ支持台は前記第１及び第２回転支持軸にそれぞれ着脱自在に結合されたことを特徴とする請求項５に記載の電動歯ブラシ。
【請求項７】
前記ケースに設置され、前記第１及び第２歯ブラシ支持台間の間隔を調節する間隔調節手段をさらに具備することを特徴とする請求項５に記載の電動歯ブラシ。
【請求項８】
前記間隔調節手段は、前記第１及び第２回転ギアの上部と下部とにそれぞれ設置された上部板及び下部板と、前記ケースの外部に設置されてユーザーが操作する間隔調節部と、前記第２回転支持軸の一端と係止される係止部を含んで前記間隔調節部が操作されれば前記第１及び第２歯ブラシ支持台の間隔が狭くなるように前記係止部が前記第２回転支持軸を遊動させる間隔調節板と、前記下部板に形成されて前記第２回転支持軸の遊動を案内する遊動案内溝と、前記間隔調節部の操作が解除されれば前記第２回転支持軸を原位置に復帰できるように前記第２回転支持軸に弾性力を提供する弾性部材と、を具備することを特徴とする請求項７に記載の電動歯ブラシ。
【請求項９】
前記間隔調節手段は前記上部板の下面に回転自在に設置され、その内部に前記第２回転支持軸が挿入される円形遊動ボールをさらに具備することを特徴とする請求項８に記載の電動歯ブラシ。
【請求項１０】
前記第１回転ギアは前記動力源から直接動力を伝達されるドライブギアであり、前記第２回転ギアは前記第１回転ギアと噛み合って回転する被動ギアであることを特徴とする請求項８に記載の電動歯ブラシ。
【請求項１１】
前記第１及び第２回転ギアはその回転軸の方向に沿って外径が変わるようにそれぞれ菱形になって相補的に噛み合ったことを特徴とする請求項８に記載の電動歯ブラシ。
【請求項１２】
前記ケースの側部にはユーザーの手が接触されたかどうかを感知する人体感知センサーと、前記発光手段をオン／オフする発光スイッチと、前記第１及び第２歯ブラシヘッドの回転速度を調節するための速度調節スイッチと、ユーザーの操作によって前記第１及び第２歯ブラシヘッドの回転方向を切換する切換スイッチとがそれぞれ付着され、
前記ケースの内部には前記人体感知センサー、発光スイッチ、速度調節スイッチ及び切換スイッチからの信号に対応して前記動力源及び発光手段を制御する制御部と、前記制御部の制御によって前記動力源及び発光手段に電源を供給する電源供給部とが設けられたことを特徴とする請求項５に記載の電動歯ブラシ。
【請求項１３】
前記発光スイッチ、速度調節スイッチ及び切換スイッチは前記ケースの両側部に互いに対称に設置されたことを特徴とする請求項１２に電動歯ブラシ。
【請求項１４】
所定の隙間を有したまま前記第１及び第２歯ブラシヘッドにそれぞれ着脱自在に結合され、前記第１及び第２歯ブラシ毛の後方をそれぞれ包んで第１及び第２歯ブラシ毛が回転する時に頬の内壁を保護する第１及び第２翼部と、
歯牙の端部が接触した時、前記第１及び第２翼部が歯牙の両側部側にそれぞれ回動して前記第１及び第２歯ブラシ毛を歯牙の両側部にそれぞれ接近させるように、前記第１及び第２翼部をそれぞれ回動自在に結合する結合部と、を含む洗浄案内板をさらに具備することを特徴とする請求項１に記載の電動歯ブラシ。
【請求項１５】
前記第１及び第２翼部の一端には前記歯ブラシヘッドの長手方向に第１及び第２結合ピンがそれぞれ設置され、前記第１及び第２翼部の他端には前記第１及び第２結合ピンにそれぞれ相補的に結合可能な第１及び第２結合溝がそれぞれ形成されて、
前記第１翼部に設置された前記第１結合ピンが前記第２翼部に形成された前記第２結合溝と結合すれば前記第１及び第２翼部を回動自在に結合している第１結合部を形成するようになり、
前記第１及び第２翼部を前記第１結合部を中心に前記第１及び第２歯ブラシヘッドの回転方向と逆方向に回転させて、前記第２翼部に設置された前記第２結合ピンが前記第１翼部に形成された前記第１結合溝と結合すれば前記第１及び第２翼部を再び回動自在に結合している第２結合部を形成するようになることを特徴とする請求項１４に記載の電動歯ブラシ。
【請求項１６】
前記第１及び第２翼部の背面には、前記第１及び第２翼部を前記第１結合部を中心に前記第１及び第２歯ブラシヘッドの回転方向と逆方向に回転させた時に互いに噛み合うように多数の凹凸がそれぞれ形成されたことを特徴とする請求項１５に記載の電動歯ブラシ。
【請求項１７】
前記第１及び第２翼部の背面から所定間隔離隔されて前記第１及び第２翼部の背面を選択的に遮断するように前記第１及び第２翼部に回動かつ着脱自在に設置される第１及び第２蓋板をさらに具備することを特徴とする請求項１４に記載の電動歯ブラシ。
【発明の詳細な説明】
【技術分野】
【０００１】
本発明は電動歯ブラシに係り、より詳細には弾力性を有して相異なる方向に回転しながらその回転方向の転換が可能な第１及び第２歯ブラシ支持台に第１及び第２歯ブラシヘッドをそれぞれ結合し、このような第１及び第２歯ブラシヘッドに第１及び第２歯ブラシ毛を上下交互にそれぞれ植毛して回転時に第１及び第２歯ブラシ毛が互いに接触しないようにすることによって、歯ブラシ毛の変形を最大限減らし、かつ歯牙に対する歯ブラシ毛の接近を容易にし、歯ブラシ毛の方向が歯牙の形状に対応して変わってその洗浄性及び便利性が改善された電動歯ブラシに関する。
【背景技術】
【０００２】
一般的に歯ブラシは歯牙の健康のために洗浄機能を行うものである。このような歯ブラシは歯ブラシ毛の駆動方式によって手動方式と電動方式とに区分されるが、最近にユーザーに便利さを提供する側面で電動方式を採用している電動歯ブラシに対する需要者の関心が益々高まりつつある。
【０００３】
しかし、従来の電動歯ブラシは歯ブラシヘッドに植毛された歯ブラシ毛が垂直に立てられた形態をなす。したがって、長時間使用する場合に歯ブラシ毛が倒れるなどの変形が発生した。このために歯ぐきの損傷が発生し、これを解消するために周期的に歯ブラシを取替えねばならなかった。また、歯間への歯ブラシ毛の接近が難しく、かつ歯牙の両面を磨くのが非常に難しくて歯牙を完璧に磨けないという問題点があった。
【発明の開示】
【課題を解決するための手段】
【０００４】
前記問題点を解決するための本発明によれば、駆動手段が設置されたケースと、弾力性を有して前記駆動手段により相異なる方向に回転する第１及び第２歯ブラシ支持台と、前記第１及び第２歯ブラシ支持台の各上端にそれぞれ連結された第１及び第２歯ブラシヘッドと、回転時に互いに接触しないように前記第１及び第２歯ブラシヘッドにその長手方向に沿って上下交互にそれぞれ植毛された第１及び第２歯ブラシ毛と、を具備する電動歯ブラシが提供される。
【０００５】
前記第１及び第２歯ブラシ毛は少なくとも１列の螺旋状にそれぞれ植毛されることが望ましい。
【０００６】
前記第１及び第２歯ブラシヘッドに前記第１及び第２歯ブラシ毛がそれぞれ植毛されて形成された第１及び第２歯ブラシ結合体は上下対称であり、前記第１及び第２歯ブラシ支持台にそれぞれ着脱自在に結合されることが望ましい。
【０００７】
前記電動歯ブラシは前記ケースの外部に光を放出する発光手段をさらに具備する。
【０００８】
前記駆動手段は動力源と、前記動力源から動力を伝達されて互いに噛み合って回転する第１及び第２回転ギアと、一端が前記第１及び第２回転ギアにそれぞれ固定され、他端が前記第１及び第２歯ブラシ支持台にそれぞれ連結された第１及び第２回転支持軸と、を具備する。ここで、前記第１及び第２歯ブラシ支持台は前記第１及び第２回転支持軸にそれぞれ着脱自在に結合されることが望ましい。
【０００９】
本発明による電動歯ブラシは、前記第１及び第２歯ブラシ支持台間の間隔を調節する間隔調節手段をさらに具備する。前記間隔調節手段は、前記第１及び第２回転ギアの上部と下部とにそれぞれ設置された上部板及び下部板と、前記ケースの外部に設置されてユーザーが操作する間隔調節部と、前記第２回転支持軸の一端と係止される係止部を含んで前記間隔調節部が操作されれば前記第１及び第２歯ブラシ支持台の間隔が狭くなるように前記係止部が前記第２回転支持軸を遊動させる間隔調節板と、前記下部板に形成されて前記第２回転支持軸の遊動を案内する遊動案内溝と、前記間隔調節部の操作が解除されれば前記第２回転支持軸を原位置に復帰させるように前記第２回転支持軸に弾性力を提供する弾性部材と、を具備することが望ましい。そして、前記上部板の下面には、その内部に前記第２回転支持軸が挿入される円形遊動ボールを回転自在に具備する。ここで、前記第１回転ギアは前記動力源から直接動力を伝達されるドライブギアであり、前記第２回転ギアは前記第１回転ギアと噛み合って回転する被動ギアであることが望ましい。また、前記第１及び第２回転ギアはその回転軸の方向に沿って外径が変わるようにそれぞれ菱形になって相補的に噛み合うことが望ましい。
【００１０】
前記ケースの側部にはユーザーの手が接触されたかどうかを感知する人体感知センサーと、前記発光手段をオン／オフする発光スイッチと、前記第１及び第２歯ブラシヘッドの回転速度を調節するための速度調節スイッチと、ユーザーの操作によって前記第１及び第２歯ブラシヘッドの回転方向を切換する切換スイッチとがそれぞれ付着され、前記ケースの内部には前記人体感知センサー、発光スイッチ、速度調節スイッチ及び切換スイッチからの信号に対応して前記動力源及び発光手段を制御する制御部と、前記制御部の制御によって前記動力源及び発光手段に電源を供給する電源供給部とが設けられる。ここで、前記発光スイッチ、速度調節スイッチ及び切換スイッチは前記ケースの両側部に互いに対称に設置されることが望ましい。
【００１１】
本発明による電動歯ブラシは、所定の隙間を有したまま前記第１及び第２歯ブラシヘッドにそれぞれ着脱自在に結合され、前記第１及び第２歯ブラシ毛の後方をそれぞれ包んで第１及び第２歯ブラシ毛が回転する時に頬の内壁を保護する第１及び第２翼部と、歯牙の端部が接触した時、前記第１及び第２翼部が歯牙の両側部側にそれぞれ回動して前記第１及び第２歯ブラシ毛を歯牙の両側部にそれぞれ接近させるように、前記第１及び第２翼部をそれぞれ回動自在に結合する結合部と、を含む洗浄案内板をさらに具備する。ここで、前記第１及び第２翼部の一端には前記歯ブラシヘッドの長手方向に第１及び第２結合ピンがそれぞれ設置され、前記第１及び第２翼部の他端には前記第１及び第２結合ピンにそれぞれ相補的に結合可能な第１及び第２結合溝がそれぞれ形成されて、前記第１翼部に設置された前記第１結合ピンが前記第２翼部に形成された前記第２結合溝と結合すれば、前記第１及び第２翼部を回動自在に結合している第１結合部を形成するようになり、前記第１及び第２翼部を前記第１結合部を中心に前記第１及び第２歯ブラシヘッドの回転方向と逆方向に回転させて、前記第２翼部に設置された前記第２結合ピンが前記第１翼部に形成された前記第１結合溝と結合すれば前記第１及び第２翼部を再び回動自在に結合している第２結合部を形成するようになることが望ましい。また、前記第１及び第２翼部の背面には、前記第１及び第２翼部を前記第１結合部を中心に前記第１及び第２歯ブラシヘッドの回転方向と逆方向に回転させた時に互いに噛み合うように多数の凹凸がそれぞれ形成されることが望ましい。
【００１２】
本発明による電動歯ブラシは、前記第１及び第２翼部の背面から所定間隔離隔されて前記第１及び第２翼部の背面を選択的に遮断するように前記第１及び第２翼部に回動かつ着脱自在に設置される第１及び第２蓋板をさらに具備する。
【発明を実施するための最良の形態】
【００１３】
以下、添付された図面を参照して本発明の望ましい一実施例を詳細に説明すれば次の通りである。
【００１４】
図１は本発明の一実施例による電動歯ブラシを示した斜視図であり、図２は図１の電動歯ブラシを概略的に示した断面図である。
【００１５】
図面を参照すれば、本発明の実施例による電動歯ブラシは、駆動手段が設置されたケース１０と、弾力性を有して前記駆動手段により相異なる方向に回転する第１及び第２歯ブラシ支持台１３、１４と、このような第１及び第２歯ブラシ支持台１３、１４の各上端と連結された第１及び第２歯ブラシヘッド１５、１６と、このような第１及び第２歯ブラシヘッド１５、１６にそれぞれ植毛された第１及び第２歯ブラシ毛１７、１８とを具備する。
【００１６】
前記第１及び第２歯ブラシ毛１７、１８は、図３Ａ及び図３Ｂに図示されたように、歯牙への接近を容易にし、かつ歯牙の洗浄性を向上させるために少なくとも１列の螺旋状にそれぞれ植毛される。そして、前記第１及び第２歯ブラシ毛１７、１８を第１及び第２歯ブラシヘッド１５、１６に植毛する方法は、第１及び第２歯ブラシ毛１７、１８を第１及び第２歯ブラシヘッド１５、１６に貫通させて植毛する方法だけでなく、第１及び第２歯ブラシ毛１７、１８を第１及び第２歯ブラシヘッド１５、１６の表面にそれぞれ実装して植毛する方法もある。ここで、図３Ａは第１及び第２歯ブラシ毛１７、１８が１列の螺旋状にそれぞれ植毛された場合を示し、図３Ｂは第１及び第２歯ブラシ毛１７、１８が２列の螺旋状にそれぞれ植毛された場合を示す。
【００１７】
また、前記第１及び第２歯ブラシ毛１７、１８は、図４Ａ及び図４Ｂ、図５Ａ及び図５Ｂに図示されたように、前記第１及び第２歯ブラシヘッド１５、１６の長手方向に沿って上下交互にそれぞれ植毛され、互いに接触しない状態で回転するように配置されることが望ましい。ここで、図４Ａ及び図４Ｂは１列の螺旋状に植毛された第１及び第２歯ブラシ毛１７、１８の配置状態を示した斜視図及び平面図であり、図５Ａ及び図５Ｂは２列の螺旋状に植毛された第１及び第２歯ブラシ毛１７、１８の配置状態を示した斜視図及び平面図である。
【００１８】
再び図１及び図２を参照すれば、前記第１及び第２歯ブラシヘッド１５、１６に第１及び第２歯ブラシ毛１７、１８がそれぞれ植毛されて形成された第１及び第２歯ブラシ結合体１９、２０は上下対称であり、前記第１及び第２歯ブラシ支持台１３、１４にそれぞれ着脱自在に結合される。但し、前記歯ブラシヘッド１５、１６と歯ブラシ支持台１３、１４とは一体にすることもある。
【００１９】
本発明の電動歯ブラシは歯牙の洗浄状態を随時確認できるように、ケース１０の外部に光を放出する発光手段３０を具備できる。
【００２０】
前記駆動手段は、例えばモータのような動力源１と、この動力源１により互いに噛み合って回転する第１及び第２回転ギア２、３と、一端が前記第１及び第２回転ギア２、３にそれぞれ固定され、他端が前記第１及び第２歯ブラシ支持台１３、１４とそれぞれ連結された第１及び第２回転支持軸１１、１２とより構成できる。ここで、前記第１及び第２歯ブラシ支持台１３、１４は第１及び第２回転支持軸１１、１２にそれぞれ着脱自在に結合される。但し、前記歯ブラシ支持台１３、１４と回転支持軸１１、１２とは一体にすることもある。
【００２１】
前記ケース１０の側部には、ユーザーの手が接触されたかどうかを感知する人体感知センサー４０と、前記発光手段３０をオン／オフする発光スイッチＳＷ１と、前記第１及び第２歯ブラシヘッド１５、１６の回転速度を調節するための速度調節スイッチＳＷ２と、ユーザーの操作によって前記第１及び第２歯ブラシヘッド１５、１６の回転方向を切換する切換スイッチＳＷ３と、がそれぞれ付着される。そして、前記ケース１０の内部には前記人体感知センサー４０、発光スイッチＳＷ１、速度調節スイッチＳＷ２及び切換スイッチＳＷ３からの信号に対応して前記動力源１及び発光手段３０を制御する制御部４１と、前記制御部４１の制御によって前記動力源１及び発光手段３０に電源を供給する電源供給部４２が備えられる。また、前記ケース１０の内部には、人体感知センサー４０、制御部４１、動力源１、発光手段３０、発光スイッチＳＷ１、速度調節スイッチＳＷ２、切換スイッチＳＷ３などを回路的に連結する印刷回路基板（図示せず）が備えられることもある。さらに、前記ケース１０の内部には充電方式により電動歯ブラシを駆動可能にするために、充電できる蓄電池（図示せず）と充電ピン（図示せず）とこの充電ピンと対応して結合される充電ジャック（図示せず）が備えられることもある。
【００２２】
一方、図２には前記ケース１０の一側部のみに前記発光スイッチＳＷ１、速度調節スイッチＳＷ２及び切換スイッチＳＷ３が設けられたと示されているが、ユーザーの操作により第１及び第２歯ブラシヘッド１５、１６の回転方向が切換された場合にユーザーの便宜のために、前記発光スイッチＳＷ１、速度調節スイッチＳＷ２及び切換スイッチＳＷ３は前記ケース１０の両側部に互いに対称に設置されることもある。
【００２３】
本発明の実施例による電動歯ブラシは、前記ケース１０に設置されて第１及び第２歯ブラシ支持台１３、１４間の間隔を調節する間隔調節手段をさらに具備できる。
【００２４】
前記間隔調節手段は、第１及び第２回転ギア２、３の上部と下部とにそれぞれ設置された上部板４及び下部板５と、ケース１０の外部に設置された間隔調節部６と、第２回転支持軸１２の一端と係止される係止部７ａを具備して前記間隔調節部６が操作されれば第１及び第２歯ブラシ支持台１３、１４間の間隔が狭くなるように係止部７ａが第２回転支持軸１２を遊動させる間隔調節板７と、下部板５に形成されて第２回転支持軸１２の遊動を案内する遊動案内溝８と、間隔調節部６の操作が解除されれば第２回転支持軸１２を原位置に復帰させるように第２回転支持軸１２に弾性力を提供する弾性部材９とより構成される。そして、前記第２回転支持軸１４が前記第２歯ブラシ支持台と整列しながら円滑に遊動可能にするために、その内部に前記第２回転支持軸１２が挿入される円形遊動ボール５０が前記上部板４の下面に遊動可能に設置されることがある。ここで、前記第１回転ギア２は前記動力源１から直接動力を伝達されるドライブギアであり、前記第２回転ギア３は前記第１回転ギア２と噛み合って回転する被動ギアであることが望ましい。また、前記第２回転支持軸１２の遊動による第１及び第２回転ギア２、３間の噛み合い率の減少を最小化させるために、前記第１及び第２回転ギア２、３はその回転軸の方向に沿って外径が変わるようにそれぞれ菱形になって相補的に噛み合ったことが望ましい。さらに、前記ケース１０には前記間隔調節部６の作動範囲を制限するためのストッパを設置することもある。但し、図１及び図２を参照して前述した間隔調節手段は例示的なものであって、前記第１及び第２歯ブラシ支持台１３、１４間の間隔を調節できる手段であればいずれも本発明による間隔調節手段に含まれる。
【００２５】
回転する第１及び第２歯ブラシ毛１７、１８からユーザーの頬内壁を保護し、かつ第１及び第２歯ブラシ毛１７、１８の方向を歯牙の形態に対応させるために、本発明の実施例による電動歯ブラシは第１及び第２歯ブラシヘッド１５、１６に結合される洗浄案内板を具備できるが、このような洗浄案内板の一実施例を示した斜視図が図６に図示されている。
【００２６】
図示されたように、前記洗浄案内板２１は所定の隙間を有するまま前記第１及び第２歯ブラシヘッド１５、１６にそれぞれ着脱自在に結合され、前記第１及び第２歯ブラシ毛１７、１８の後方をそれぞれ包んで第１及び第２歯ブラシ毛１７、１８が回転する時に頬の内壁を保護する第１及び第２翼部２２、２３と、前記第１及び第２翼部２２、２３をそれぞれ回動可能に結合する結合部２４とを含む。
【００２７】
前記のように構成された洗浄案内板２１において、図１１に図示されたように、第１歯ブラシ毛１７と第２歯ブラシ毛１８間に歯牙が接近すれば前記第１及び第２翼部２２、２３が歯牙の形状に対応して歯牙の両側部から遠ざかる方向にそれぞれ回動するようになって第１及び第２歯ブラシ毛１７、１８間の間隔が広くなっていて、前記結合部２４に歯牙の端部が接触すれば前記第１及び第２翼部２２、２３は歯牙の両側部の方向にそれぞれ回動するようになって前記第１及び第２歯ブラシ毛１７、１８間の間隔が再び狭くなることによって前記第１及び第２歯ブラシ毛１７、１８間の間隔が調節される。
【００２８】
図７には前記洗浄案内板のさらに他の実施例を示した斜視図が図示されている。図面を参照すれば、前記第１及び第２翼部２２、２３の一端には前記歯ブラシヘッド１５、１６の長手方向に第１及び第２結合ピン２２１、２３１がそれぞれ設置され、前記第１及び第２翼部２２、２３の他端には前記第１及び第２結合ピンにそれぞれ相補的に結合可能な第１及び第２結合溝２２２、２３２が形成される。そして、前記第１及び第２翼部２２、２３の背面には、前記第１及び第２翼部２２、２３を前記結合部２４を中心に前記第１及び第２歯ブラシヘッド１５、１６の回転方向と反対方向に回転させた時に互いに噛み合うように多数の凹凸２２ａ、２３ａが形成されたことが望ましい。
【００２９】
前記のように構成された洗浄案内板２１において、図８に図示されたように、第１翼部２２に設置された前記第１結合ピン２２１が前記第２翼部２３に形成された前記第２結合溝２３２と結合すれば、前記第１及び第２翼部２２、２３を回動可能に結合する第１結合部２４ａを形成するようになり、前記第１及び第２翼部２２、２３を前記第１結合部２４ａを中心に前記第１及び第２歯ブラシヘッド１５、１６の回転方向と逆方向に回転させて、前記第２翼部２３に設置された前記第２結合ピン２３１が前記第１翼部２２に形成された前記第１結合溝２２２と結合すれば前記第１及び第２翼部２２、２３を再び回動可能に結合する第２結合部２４ｂを形成するようになる。
【００３０】
回転する第１及び第２歯ブラシ毛１７、１８からユーザーを保護するために、本発明の実施例による電動歯ブラシは第１及び第２翼部２２、２３の背面にそれぞれ設置される第１及び第２蓋板を具備できるが、このような第１及び第２蓋板の一実施例を示した斜視図が図９に図示されている。
【００３１】
図示されたように、第１及び第２蓋板５１、５２は前記第１及び第２翼部２２、２３の背面から所定間隔離隔されて前記第１及び第２翼部２２、２３の背面を選択的に遮断するように前記第１及び第２翼部２２、２３に回動かつ着脱自在に設置される。ここで、前記第１及び第２翼部２２、２３を前記第１及び第２歯ブラシヘッド１５、１６に結合するためのリング締結部２５の背面にはスライド溝２５ａが形成されており、前記第１及び第２蓋板５１、５２から延びた締結部５３が前記スライド溝２５ａに結合されることによって、前記第１及び第２蓋板５１、５２は前記第１及び第２翼部２２、２３に回動かつ着脱自在に設置される。但し、図９に図示された第１及び第２蓋板５１、５２と第１及び第２翼部２２、２３との結合構造は例示的なものであって、本発明の範囲を限定するためのものではない。
【００３２】
一方、図示されなかったが、本発明の実施例による電動歯ブラシにはユーザーの安全のために、回転する第１及び第２歯ブラシ支持台１３、１４の外部を包む別途のカバー部材を備えることもある。そして、前記カバー部材は前記洗浄案内板２１と一体にすることもできる。
【００３３】
前述したように本発明の実施例による電動歯ブラシによれば、第１及び第２歯ブラシ支持台１３、１４が弾力性を有するために、図１０ないし図１２に図示されたように上、下部歯牙の一側面、歯牙の両側面または歯牙の噛み合い面を磨く時、第１及び第２歯ブラシ毛１７、１８が歯牙に容易に接近できる。また、前記第１及び第２歯ブラシ毛１７、１８は互いに接触しない状態で回転できるように上下交互に植毛されるために、歯ブラシ毛１７、１８の歯間への接近がさらに容易になる。
【００３４】
本発明は図面に図示された実施例を参考として説明されたが、これは例示的なものに過ぎず、当業者であればこれより多様な変形及び均等な他の実施例が可能であるという点を理解できる。したがって、本発明の真の保護範囲は特許請求の範囲の技術的思想により定められねばならない。
【産業上の利用可能性】
【００３５】
以上説明したように本発明の電動歯ブラシによれば、歯ブラシ支持台が弾力性を有して歯ブラシ毛は互いに接触しない状態で回転できるように上下交互に植毛されるために、歯ブラシ毛の歯間への接近が容易であり、歯牙の配列及び形態に合わせて歯牙の両面はもとより上、下部歯牙の側面と噛み合い面とを自由に磨ける。
【００３６】
また、歯ブラシ支持地帯間の間隔をユーザーが自由に調節可能にして、相異なる歯牙厚さを有してもその使用に全く不便さがない。
【００３７】
さらに、洗浄案内板と蓋板とを設けてユーザーの安全を図る一方、人体感知センサーの感知動作によって動力源をオン／オフすることによって使用において便宜性を増大させた。
【００３８】
その上、長時間使用によって歯ブラシ毛が倒れた場合、歯ブラシ毛の回転方向を切換して使用可能にして、歯ブラシを頻繁に取替える不便さを改善した。
【図面の簡単な説明】
【００３９】
【図１】本発明の一実施例による電動歯ブラシを示した斜視図である。
【図２】図１の電動歯ブラシを概略的に示した断面図である。
【図３Ａ】図１の第１及び第２歯ブラシ毛の実施例を示した正面図である。
【図３Ｂ】図１の第１及び第２歯ブラシ毛の実施例を示した正面図である。
【図４Ａ】１列の螺旋状に植毛された第１及び第２歯ブラシ毛の配置状態を示した斜視図及び平面図である。
【図４Ｂ】１列の螺旋状に植毛された第１及び第２歯ブラシ毛の配置状態を示した斜視図及び平面図である。
【図５Ａ】２列の螺旋状に植毛された第１及び第２歯ブラシ毛の配置状態を示した斜視図及び平面図である。
【図５Ｂ】２列の螺旋状に植毛された第１及び第２歯ブラシ毛の配置状態を示した斜視図及び平面図である。
【図６】第１及び第２歯ブラシヘッドに結合される洗浄案内板の一実施例を示した斜視図である。
【図７】洗浄案内板のまた他の実施例を示した斜視図である。
【図８】図７の洗浄案内板の作用を説明する図面である。
【図９】洗浄案内板に結合される第１及び第２蓋板の実施例を示した斜視図である。
【図１０】本発明の電動歯ブラシにより上、下部歯牙の一側面を磨く状態図である。
【図１１】本発明の電動歯ブラシにより上部歯牙の両側面を磨く状態図である。
【図１２】本発明の電動歯ブラシにより歯牙の噛み合い面と側面とを磨く状態図である。
【国際公開パンフレット】
2004534603.tif 000003
2004534603.tif 000004
2004534603.tif 000005
2004534603.tif 000006
2004534603.tif 000007
2004534603.tif 000008
2004534603.tif 000009
2004534603.tif 000010
2004534603.tif 000011
2004534603.tif 000012
2004534603.tif 000013
2004534603.tif 000014
2004534603.tif 000015
2004534603.tif 000016
2004534603.tif 000017
2004534603.tif 000018
2004534603.tif 000019
2004534603.tif 000020
2004534603.tif 000021
2004534603.tif 000022
2004534603.tif 000023
2004534603.tif 000024
2004534603.tif 000025
2004534603.tif 000026
2004534603.tif 000027
2004534603.tif 000028
2004534603.tif 000029
2004534603.tif 000030
2004534603.tif 000031
2004534603.tif 000032
2004534603.tif 000033
2004534603.tif 000034
2004534603.tif 000035
2004534603.tif 000036
2004534603.tif 000037
2004534603.tif 000038
【国際調査報告】
2004534603.tif 000039
2004534603.tif 000040